(57)【特許請求の範囲】
【請求項１】
Ｔ形鋼の曲がりを矯正するときに用いられるウェブ押上げ装置であって、前記Ｔ形鋼のウェブを上方に押上げるウェブ押上げローラと、該ウェブ押上げローラを回転自在に支承するローラ支承軸と、該ローラ支承軸を介して前記ウェブ押上げローラを水平に支持するローラ支持架台と、該ローラ支持架台を介して前記ウェブ押上げローラを昇降駆動するローラ昇降機構とを備えてなり、前記ウェブ押上げローラが前記ローラ支承軸の軸方向に移動可能に設けられていることを特徴とするウェブ押上げ装置。
【請求項２】
請求項１に記載のウェブ押上げ装置において、前記押上げローラの両側または片側に、前記ウェブ押上げローラを前記ローラ支承軸の軸方向に付勢して定位置に戻すローラ戻しバネが設けられていることを特徴とするウェブ押上げ装置。
【請求項３】
請求項１または２に記載のウェブ押上げ装置において、前記ローラ昇降機構を、前記ローラ支持架台を上下方向にガイドする複数本のガイドロッドと、該ガイドロッドと平行に前記ウェブ押上げローラの下方に設けられたスクリュージャッキと、該スクリュージャッキのボールねじ軸を駆動する駆動モータとから構成したことを特徴とするウェブ押上げ装置。
【発明の詳細な説明】
【技術分野】
【０００１】
本発明は、Ｔ形鋼のウェブを水平姿勢に押上げるウェブ押上げ装置に関し、特に、熱間圧延により製造されたＴ形鋼の曲がりを矯正するときに用いて好適なウェブ押上げ装置に関する。
【背景技術】
【０００２】
一般に、Ｔ形鋼を熱間圧延により製造すると、図４（ａ）及び図４（ｂ）に示すような曲りがＴ形鋼１１に発生することがある。このような曲がりはＴ形鋼の製品品質を低下させるため、従来では、例えば図５に示すように、Ｔ形鋼搬送用ローラテーブル１２の上に載置されたＴ形鋼１１のウェブ１１１をウェブ押上げローラ２１によりＴ形鋼１１のフランジ１１２が垂直姿勢になるまで上方に押上げ、Ｔ形鋼１１の曲りがウェブ側に湾曲する曲がりである場合は、図５（ｃ）に示すように、Ｔ形鋼１１のウェブ１１１を押し金具１３，１４によりＴ形鋼１１のフランジ側に押圧し、Ｔ形鋼１１のフランジ１１２を受け金具１５に押し当ててＴ形鋼１１の曲がりを矯正するようにしている。
【０００３】
また、Ｔ形鋼１１の曲りがフランジ側に湾曲する曲がりである場合は、図５（ｄ）に示すように、図５（ｃ）では上方などに退避させていた押し金具１６をＴ形鋼１１のウェブ１１１の先端に対向するように位置させるとともに受け金具１５は上方などに退避させておき、Ｔ形鋼１１のウェブ１１１をウェブ押上げローラ２１によりＴ形鋼１１のフランジ１１２が垂直姿勢になるまで上方に押上げた後、Ｔ形鋼１１のウェブ１１１を押し金具１６によりＴ形鋼１１のフランジ側に押圧し、Ｔ形鋼１１のフランジ１１２を受け金具１７，１８に押し当ててＴ形鋼１１の曲がりを矯正するようにしている。
しかし、このような方法は、Ｔ形鋼１１のウェブ１１１が押し金具１３，１４または押し金具１６により押圧されたときにウェブ１１１がウェブ押上げローラ２１の周面部を摺動するため、ウェブ押上げローラ２１との擦れ合いによる擦り疵がウェブ１１１の下面に発生しやすいという問題点がある。
【０００４】
そこで、Ｔ形鋼のウェブを押上げるウェブ押上げローラとして、特許文献１に開示されている球状のウェブ支承ローラを用いてＴ形鋼のウェブを上方に押上げることも考えられるが、特許文献１に開示のウェブ支承ローラは、市販のボールキャスターと同様に、耐荷重が最大で０．１トン程度であるため、例えば１．３５トンのＴ形鋼を支えるためには１４個のウェブ支承ローラを必要とし、ウェブ支承ローラを設置するのに大きなスペースを確保しなければならないという欠点がある。また、ウェブ支承ローラを昇降駆動する昇降機構の設置台数も１４台となるため、Ｔ形鋼の曲がりを矯正する設備が大掛かりなものとなってしまうという欠点もある。
【先行技術文献】
【特許文献】
【０００５】
【特許文献１】特開２００８−１２６２５９号公報（００３４、図４）
【発明の概要】
【発明が解決しようとする課題】
【０００６】
本発明は上述した事情に鑑みてなされたものであり、その目的は、Ｔ形鋼のウェブをウェブ押上げローラにより上方に押上げてＴ形鋼の曲がりを矯正するときにウェブ押上げローラとの擦れ合いによる擦り疵がＴ形鋼のウェブに発生することを防止することのできるウェブ押上げ装置を提供することにある。
【課題を解決するための手段】
【０００７】
上記課題を解決するために、本発明の請求項１に係る発明は、Ｔ形鋼の曲がりを矯正するときに用いられるウェブ押上げ装置であって、前記Ｔ形鋼のウェブを上方に押上げるウェブ押上げローラと、該ウェブ押上げローラを回転自在に支承するローラ支承軸と、該ローラ支承軸を介して前記ウェブ押上げローラを水平に支持するローラ支持架台と、該ローラ支持架台を介して前記ウェブ押上げローラを昇降駆動するローラ昇降機構とを備えてなり、前記ウェブ押上げローラが前記ローラ支承軸の軸方向に移動可能に設けられていることを特徴とする。
【０００８】
本発明の請求項２に係る発明は、請求項１に記載のウェブ押上げ装置において、前記押上げローラの両側または片側に、前記ウェブ押上げローラを前記ローラ支承軸の軸方向に付勢して定位置に戻すローラ戻しバネが設けられていることを特徴とする。
本発明の請求項３に係る発明は、請求項１または２に記載のウェブ押上げ装置において、前記ローラ昇降機構を、前記ローラ支持架台を上下方向にガイドする複数本のガイドロッドと、該ガイドロッドと平行に前記ウェブ押上げローラの下方に設けられたスクリュージャッキと、該スクリュージャッキのボールねじ軸を駆動する駆動モータとから構成したことを特徴とする。
【発明の効果】
【０００９】
請求項１に係る発明によれば、Ｔ形鋼のウェブをウェブ押上げローラにより上方に押上げてＴ形鋼の曲がりを矯正するときにウェブ押上げローラがウェブと共にローラ支承軸の軸方向に移動し、ウェブがウェブ押上げローラと擦れ合うことがないので、ウェブ押上げローラと擦れ合いによる擦り疵がＴ形鋼のウェブに発生することを防止することができる。
請求項２に係る発明によれば、Ｔ形鋼のウェブと共にローラ支承軸の軸方向に移動したウェブ押上げローラを移動前の位置に戻すことができる。
請求項３に係る発明によれば、Ｔ形鋼の曲がりを矯正するときにＴ形鋼のウェブを所定の位置まで正確に押上げることができる。
【図面の簡単な説明】
【００１０】
【図１】本発明の一実施形態に係るウェブ押上げ装置の縦断面図である。
【図２】本発明の一実施形態に係るウェブ押上げ装置の要部を示す図である。
【図３】本発明の一実施形態に係るウェブ押上げ装置の作用を説明するための図である。
【図４】Ｔ形鋼に発生する曲がりを説明するための図である。
【図５】従来のウェブ押上げ装置を用いてＴ形鋼の曲がりを矯正する方法を説明するための図である。
【発明を実施するための形態】
【００１１】
以下、図１〜図３を参照して本発明の一実施形態について説明する。
図中符号２０は本発明の一実施形態に係るウェブ押上げ装置であって、このウェブ押上げ装置２０はウェブ押上げローラ２１、ローラ支承軸２２、ローラ支持架台２３、ローラ昇降機構２４およびローラ戻しバネ２５，２６を備えて構成されている。
ウェブ押上げローラ２１はＴ形鋼搬送用ローラテーブル１２の上に載置されたＴ形鋼１１のウェブ１１１を上方に押上げるものであって、ローラ支承軸２２の軸方向に移動可能に設けられている。また、ウェブ押上げローラ２１はローラ支承軸２２と摺動自在に嵌合する円筒状のブッシュ２７を有し、このブッシュ２７を介してローラ支承軸２２の軸方向に移動可能となっている。
【００１２】
ローラ支承軸２２はウェブ押上げローラ２１を回転自在に支承するものであって、ブッシュ２７の内周面と摺動自在に係合している。
ローラ支持架台２３はローラ支承軸２２を介してウェブ押上げローラ２１を水平に支持するものであって、このローラ支持架台２３を介してウェブ押上げローラ２１がローラ昇降機構２４により昇降駆動されるようになっている。
【００１３】
ローラ昇降機構２４は、ローラ支持架台２３を上下方向にガイドする複数本のガイドロッド２８を有している。また、ローラ昇降機構２４はガイドロッド２８と平行にウェブ押上げローラ２１の下方に設けられたスクリュージャッキ２９を有し、このスクリュージャッキ２９のボールねじ軸を図示しない駆動モータにより駆動してウェブ押上げローラ２１を昇降駆動するように構成されている。
ローラ戻しバネ２５，２６はウェブ押上げローラ２１をローラ支承軸２２の軸方向に付勢して定位置に戻すものであって、ウェブ押上げローラ２１の両側に設けられている。また、これらのローラ戻しバネ２５，２６はローラ支承軸２２の直径より大きい内径でコイル状に形成されている。
【００１４】
上述したウェブ押上げ装置２０を使用してＴ形鋼１１の曲がりを矯正する場合は、ウェブ押上げ装置２０のローラ昇降機構２４を作動させ、図３（ａ）に示すように、Ｔ形鋼１１のウェブ１１１が水平姿勢となるまでＴ形鋼１１のウェブ１１１をウェブ押上げローラ２１により上方に押上げる。次に、例えばＴ形鋼１１の曲りがウェブ側に湾曲する曲がりである場合は、この状態でＴ形鋼１１のウェブ１１１を図５（ｃ）に示す押し金具１３，１４によりＴ形鋼１１のフランジ側に押圧し、Ｔ形鋼１１のフランジ１１２を受け金具１５に押し当ててＴ形鋼１１の曲がりを矯正する。このとき、ウェブ押上げローラ２１は、図３（ｂ）に示すように、ウェブ１１１と共にローラ支承軸２２の軸方向に移動する。
【００１５】
上述した本発明の一実施形態のように、ウェブ押上げローラ２１をローラ支承軸２２の軸方向に移動自在に設けたことで、Ｔ形鋼１１のウェブ１１１をウェブ押上げローラ２１により上方に押上げてＴ形鋼１１の曲がりを矯正するときにウェブ押上げローラ２１がウェブ１１１と共にローラ支承軸２２の軸方向に移動し、ウェブ１１１がウェブ押上げローラ２１と擦れ合うことがない。従って、ウェブ押上げローラ２１と擦れ合いによる擦り疵がＴ形鋼１１のウェブ１１１に発生することを防止することができる。
【００１６】
また、ウェブ押上げローラ２１をローラ支承軸２２の軸方向に付勢して定位置に戻すローラ戻しバネ２５，２６をウェブ押上げローラ２１の両側に設けたことで、ウェブ１１１と共にローラ支承軸２２の軸方向に移動したウェブ押上げローラ２１を移動前の定位置に戻すことができ、これにより、Ｔ形鋼１１の曲がりがフランジ側に湾曲する曲がり（図４（ａ）参照）やウェブ側に湾曲する曲がり（図４（ｂ）参照）のいずれであっても、図５（ｃ）及び図５（ｄ）のようにＴ形鋼１１の曲がりを矯正することができる。
【００１７】
さらに、ローラ支持架台２３を上下方向にガイドする複数本のガイドロッド２８と、これらのガイドロッド２８と平行にウェブ押上げローラ２１の下方に設けられたスクリュージャッキ２９と、このスクリュージャッキ２９のボールねじ軸を駆動する駆動モータ（図示せず）とからローラ昇降機構２４を構成したことで、Ｔ形鋼１１の曲がりを矯正するときにＴ形鋼１１のウェブ１１１を所定の位置まで正確に押上げることができる。
【００１８】
また、Ｔ形鋼１１のウェブ１１１を上方に押し上げるローラとして、特許文献１に開示されているような球状のローラを用いる必要がないので、押し金具１３，１４の近傍に２台のウェブ押上げ装置２０を設置するだけでウェブ１１１を支えることができ、Ｔ形鋼１１の曲がりを矯正することができる。
なお、上述した本発明の一実施形態ではローラ戻しバネをウェブ押上げローラの両側に設けたものを例示したが、ローラ戻しバネをウェブ押上げローラの片側のみに設けてもよい。
【符号の説明】
【００１９】
１１…Ｔ形鋼
１１１…ウェブ
１１２…フランジ
１２…Ｔ形鋼搬送用ローラテーブル
１３，１４，１６…押し金具
１５，１７，１８…受け金具
２０…ウェブ押上げ装置
２１…ウェブ押上げローラ
２２…ローラ支承軸
２３…ローラ支持架台
２４…ローラ昇降機構
２５，２６…ローラ戻しバネ
２７…ブッシュ
２８…ガイドロッド
２９…スクリュージャッキ
【図１】
0005521823.tif 000002
【図２】
0005521823.tif 000003
【図３】
0005521823.tif 000004
【図４】
0005521823.tif 000005
【図５】
0005521823.tif 000006